(57)【要約】【課題】換気ダクト等の配置形態が異なっても、配置形態に応じて、所望の通風量が得られるようにする。【解決手段】換気ファンが収納された換気ユニットＥのケーシング１１に対して、通風路を構成する吸気ダクト及び排気ダクトを、複数の配置形態で接続可能であって、前記複数の配置形態のそれぞれに対応して、前記換気ファンを駆動するファンモータの回転速度と電気的入力値との関係を示す設定情報が、予め通風量に応じて記憶手段に記憶され、制御手段は、複数の配置形態の何れの配置形態が選択されているかを判定し、判定した配置形態に対応する前記設定情報に基づいて、ファンモータの回転速度を制御する。【選択図】図４
2015117879.tif 000002
【特許請求の範囲】
【請求項１】
通気用のファンが収納されたファンケーシングの複数の接続口に対して、吸気用及び排気用の各通風路が、複数の異なる配置形態で接続可能であり、前記ファンを駆動するファンモータと、前記ファンモータへの電気的入力値によって、前記ファンモータの回転速度を制御する制御手段とを備える風量制御装置であって、
前記複数の配置形態のそれぞれに対応する、前記ファンモータの回転速度と前記電気的入力値との関係を示す設定情報が、予め通風量に応じて記憶される記憶手段を備え、
前記制御手段は、前記ファンケーシングに対する前記各通風路の接続が、前記複数の配置形態の何れの配置形態の接続であるかを判定すると共に、判定した配置形態に対応する前記記憶手段の前記設定情報に基づいて、前記ファンモータの回転速度を制御する、
ことを特徴とする風量制御装置。
【請求項２】
前記制御手段は、前記ファンケーシングの前記複数の接続口に対する前記各通風路の接続が完了する前の試運転モードでは、前記何れの配置形態の接続であるかを判定し、前記各通風路の前記接続が完了した後の通常運転モードでは、判定した配置形態に対応する前記記憶手段の前記設定情報に基づいて、前記ファンモータの回転速度を制御する、
請求項１に記載の風量制御装置。
【請求項３】
前記ファンケーシングの前記複数の接続口に対する前記各通風路の接続の有無を検出する検出手段を備え、
前記制御手段は、前記検出手段の検出出力に基づいて、前記ファンケーシングに対する前記各通風路の接続が、前記複数の配置形態の何れの配置形態の接続であるかを判定する、
請求項１に記載の風量制御装置。
【請求項４】
前記ファンモータへの電気的入力値が、前記ファンモータへの印可電圧である、
請求項１ないし３のいずれかに記載の風量制御装置。
【請求項５】
前記ファンモータへの電気的入力値が、前記ファンモータへの印可電力である、
請求項１ないし３のいずれかに記載の風量制御装置。
【発明の詳細な説明】
【技術分野】
【０００１】
本発明は、換気風量などを制御する風量制御装に関する。
【背景技術】
【０００２】
この種の風量制御装置として、例えば、特許文献１には、浴室や脱衣室等の換気を行う換気ファンを駆動するファンモータへの印加電圧を、予め求めた前記ファンモータの目標回転速度と前記ファンモータへの印加電圧との関係に基づいて制御することによって、換気風量を、設定風量に制御する浴室暖房換気装置が記載されている。
【先行技術文献】
【特許文献】
【０００３】
【特許文献１】特開２０１３−１８１６８３号公報
【発明の概要】
【発明が解決しようとする課題】
【０００４】
上記特許文献１のように、浴室、脱衣室、及び、トイレといった多室の換気を行う浴室暖房換気装置では、換気ファンが収納された換気ユニットのケーシングには、換気対象室や屋外排出口の配置などに応じて、換気対象室に連通する吸気ダクト及び屋外排出口に連通する排気ダクトを配置接続できるように、複数の接続口が設けられている。
【０００５】
すなわち、換気ユニットのケーシングの複数の接続口に対して、前記吸気ダクト及び前記排気ダクトを、異なる複数の配置形態で接続することが可能となっており、浴室暖房換気装置を設置する際には、換気対象室等の配置などに応じて複数の配置形態の内の何れかの配置形態を選択して、前記両ダクトを前記ケーシングの接続口に接続すると共に、使用しない接続口は閉塞するように構成されている。
【０００６】
このように吸気ダクトや排気ダクトといった換気ダクトは、換気ファンが収納されたケーシングに対して、浴室暖房換気装置が設置される換気対象室等の配置などに応じて、異なる配置形態で接続される場合がある。
【０００７】
一般的に、浴室暖房換気装置などの風量制御装置は、そこに用いられるファン及びこのファンに装着されるファンモータが同一であっても、上記の換気ダクトの配置形態によって、風量制御装置による通風量Ｑに対する、風量制御装置の排気位置における静圧と吸気位置における静圧との差圧Ｐの特性、いわゆるＰ−Ｑ特性が異なったものとなる。
【０００８】
したがって、従来の風量制御装置において、換気ユニットにおける換気ダクトの配置形態として、複数の配置形態が可能である場合に、選択する配置形態によっては、上記のように予め求めたファンモータの目標回転速度とファンモータへの印加電圧との関係からずれてしまう場合があり、換気風量が、所望の設定風量からずれてしまう虞があった。
【０００９】
本発明は、このような実情に着目してなされたものであって、換気ダクト等の配置形態が異なっても、配置形態に応じて、所望の換気風量が得られるようにすることを目的とする。
【課題を解決するための手段】
【００１０】
（１）本発明の風量制御装置は、通気用のファンが収納されたファンケーシングの複数の接続口に対して、吸気用及び排気用の各通風路が、複数の異なる配置形態で接続可能であり、前記ファンを駆動するファンモータと、前記ファンモータへの電気的入力値によって、前記ファンモータの回転速度を制御する制御手段とを備える風量制御装置であって、
前記複数の配置形態のそれぞれに対応する、前記ファンモータの回転速度と前記電気的入力値との関係を示す設定情報が、予め通風量に応じて記憶される記憶手段を備え、
前記制御手段は、前記ファンケーシングに対する前記各通風路の接続が、前記複数の配置形態の何れの配置形態の接続であるかを判定すると共に、判定した配置形態に対応する前記記憶手段の前記設定情報に基づいて、前記ファンモータの回転速度を制御する。
【００１１】
本発明によると、ファンケーシングの複数の接続口に対して吸気用及び排気用の各通風路を接続する際の複数の配置形態にそれぞれ対応して、ファンモータの回転速度と電気的入力値との関係を示す設定情報が、予め通風量に応じて記憶手段に記憶され、制御手段は、複数の配置形態の何れの配置形態が選択されているかを判定し、判定した配置形態に対応する前記設定情報に基づいて、ファンモータの回転速度を制御するので、複数の配置形態の何れの配置形態が選択されても、風量が所望の風量からずれてしまうことが抑制され、適切な風量にて通風が行われる。
【００１２】
（２）本発明の好ましい実施態様では、前記制御手段は、前記ファンケーシングの前記複数の接続口に対する前記各通風路の接続が完了する前の試運転モードでは、前記何れの配置形態の接続であるかを判定し、前記各通風路の前記接続が完了した後の通常運転モードでは、判定した配置形態に対応する前記記憶手段の前記設定情報に基づいて、前記ファンモータの回転速度を制御する。
【００１３】
この実施態様によると、複数の配置形態の何れの配置形態による接続であるかを判定する試運転モードは、ファンケーシングに対する通風路の接続が完了する前の判定に好適な状態、例えば、ファンケーシングの接続口に、ダクト継ぎ手のみが接続されて吸気ダクトや排気ダクトが接続されていない状態、すなわち、配置形態毎の通風抵抗が略一定の状態で実行することができるので、精度よく配置形態を判定することができる。
【００１４】
（３）本発明の他の実施態様では、前記ファンケーシングの前記複数の接続口に対する前記各通風路の接続の有無を検出する検出手段を備え、前記制御手段は、前記検出手段の検出出力に基づいて、前記ファンケーシングに対する前記各通風路の接続が、前記複数の配置形態の何れの配置形態の接続であるかを判定する。
【００１５】
前記検出手段は、例えば、マイクロスイッチやフォトインタラプタ等の機械式や光学式のセンサを備えるのが好ましい。
【００１６】
この実施態様によると、検出手段によって、ファンケーシングの複数の接続口に対する各通風路の接続の有無を検出するので、制御手段では、その検出出力に基づいて、配置形態を判定することができ、試運転モードを実行する必要がない。
【００１７】
（４）本発明の更に他の実施態様では、前記ファンモータへの電気的入力値が、前記ファンモータへの印可電圧である。
【００１８】
この実施態様によると、ファンモータへの電気的入力値がファンモータへの印加電圧であるので、ファンモータを制御する制御手段の構成が簡単になる。
【００１９】
（５）本発明の別の実施態様では、前記ファンモータへの電気的入力値が、前記ファンモータへの印可電力である。
【００２０】
この実施態様によると、風量と密接な相関性を有するファンモータへの印加電力をファンモータへの電気的入力値とすることで、ファンモータのモータ特性のバラツキに起因して、風量が所望の風量からずれてしまうことが抑制される。
【発明の効果】
【００２１】
本発明によれば、ファンケーシングに対して吸気用及び排気用の各通風路を接続する際の複数の配置形態にそれぞれ対応して、ファンモータの回転速度と電気的入力値との関係を示す設定情報が、予め通風量に応じて記憶され、前記複数の配置形態の何れの配置形態が選択されているかを判定し、判定した配置形態に対応する前記設定情報に基づいて、ファンモータの回転速度を制御するので、複数の配置形態の何れの配置形態が選択されても、風量が所望の風量からずれてしまうことが抑制され、適切な風量にて通風が行われる。
【図面の簡単な説明】
【００２２】
【図１】本発明の一実施形態の風量制御装置としての浴室暖房換気装置の概略平面図である。
【図２】図１の浴室暖房換気装置の概略側面図である。
【図３】リモコンの正面図である。
【図４】換気ファン用ケーシングに対する吸気継ぎ手及び排気継ぎ手の接続の配置形態を示す図である。
【図５】ファンモータのＰＱ特性と通風路の負荷特性との関係を示す図である。
【図６】ファンモータの回転速度と印加電圧との関係を示す図である。
【図７】配置形態の異なる場合のファンモータの回転速度と印加電圧との関係を示す図である。
【発明を実施するための形態】
【００２３】
以下、本発明の実施形態について図面を参照しながら詳細に説明する。この実施形態では、風量制御装置として浴室暖房換気装置に適用して説明する。
【００２４】
図１は、本発明の一実施形態に係る風量制御装置としての浴室暖房換気装置の概略平面図であり、図２は、浴室暖房換気装置の概略側面図である。
【００２５】
この浴室暖房換気装置は、浴室Ａの天井部に設置されて浴室Ａの乾燥や換気を行う浴室ユニットＢと、浴室Ａ、トイレＣ、および、脱衣室Ｄを換気するための換気ファン１２を備えた換気ユニットＥ、浴室ユニットＢ内に設けられ、浴室ユニットＢおよび換気ユニットＥの運転を制御する制御手段に相当する制御部Ｈ、その制御部Ｈに対して運転指令などを指令するリモコンＲなどから構成されている。
【００２６】
浴室ユニットＢは、下方側が開口し、一側面に換気空気排出用の排気用接続口２を備えたケーシング１と、吸込み部３および吹出し部４を備えてケーシング１の下方側を閉じるように配置されるグリル板５などを備えて構成されている。
【００２７】
そして、ケーシング１の内部には、吸込み部３と吹出し部４とを接続する循環路６が区画形成され、吸込み部３から吹出し部４に至る循環路６の経路の途中で、循環路６に連通するように、排気用接続口２が形成され、その排気用接続口２を開閉する開閉体２０が設けられている。
【００２８】
なお、開閉体２０は、電磁石２０ｂに対して通電状態と非通電状態に切り換えることによって、シャッタ体２０ａを開閉させて、開閉作動されるように構成されている。
【００２９】
また、循環路６内に、吸込み部３に吸気作用するとともに、吸込み空気を吹出し部４および排気用接続口２に送るように通風作用する循環ファン７、循環路６を通流する空気を加熱する熱交換器８が設けられている。
【００３０】
前記熱交換器８には、外部熱源機（図示せず）から温水を循環供給する温水循環路９が接続され、その温水循環路９に、熱交換器８への温水の供給を断続する熱動弁１０が設けられている。
【００３１】
前記換気ユニットＥは、換気ファン用ケーシング１１内に通風用のファンである換気ファン１２を収納して構成され、この例では、換気ファン用ケーシング１１の一側面が、２個の他室用の吸気口１３とされ、他側面が、排気口１４とされている。なお、他側面にも吸気口として使用可能な接続口を有しているが、この例では使用しないため、閉塞板２７によって閉塞されている。
【００３２】
そして、換気ファン１２が、ファンモータ１２ａの駆動により、換気用ファンケーシング１１内に吸気作用させるとともに、吸引空気を排気口１４から排出するように、換気ファン１２の吐出口を排気口１４に接続するようにしている。
【００３３】
他室用の吸気口１３の夫々には、他室用の吸気口１３の開口量を調整するダンパ１５が、上下移動操作自在に設けられ、ダクト接続部である筒状の吸気継ぎ手１６を介して、トイレＣおよび脱衣室Ｄの夫々に連通する通風路を形成する吸気ダクト１７を接続するように構成されており、吸気口１３は、吸気ダクト１７を接続する接続口となっている。
【００３４】
排出口１４には、ダクト接続部である筒状の排気継ぎ手１８を介して、屋外に延設される通風路を形成する排気ダクト１９を接続するように構成されており、排出口１４は、排気ダクト１９を接続する接続口となっている。
【００３５】
このようにして、ファンモータ１２ａを駆動させて、換気ファン１２を通風作動させて、浴室ユニットＢを介して浴室Ａ内の空気を換気ファン用ケーシング１１内に吸引して、排気ダクト１９を通して換気するとともに、吸気ダクト１７を通してトイレＣおよび脱衣室Ｄ内の空気を換気ファン用ケーシング１１内に吸引して、排気ダクト１９を通して換気するように構成されている。
【００３６】
制御部Ｈは、リモコンＲからの指令に基づいて、開閉体２０を開閉制御するとともに、循環ファン７および換気ファン１２の通風作動を制御するなどして、浴室Ａ内を乾燥する乾燥運転、浴室Ａ内の空気を循環させる涼風運転、浴室Ａ内を暖房する暖房運転、浴室Ａ内やトイレＣおよび脱衣室Ｄ内を通常設定換気量にて換気する通常換気運転、浴室Ａ内やトイレＣおよび脱衣室Ｄ内を２４時間設定換気量にて換気する２４時間換気運転などの各種の運転を実行するように構成されている。
【００３７】
図３に示すように、リモコンＲには、乾燥運転を指令する乾燥運転スイッチ２１、涼風運転を指令する涼風運転スイッチ２２、暖房運転を指令する暖房運転スイッチ２３、通常換気運転を指令する通常換気運転スイッチ２４、２４時間換気運転を指令する２４時間換気運転スイッチ２５、表示部２６などが設けられている。
【００３８】
乾燥運転は、循環ファン７を作動させ、かつ、浴室Ａ内の温度が乾燥用の設定温度範囲に維持されるように、熱動弁１０の開閉を制御して熱交換器８に温水を循環供給するとともに、開閉体２０を開作動させた状態で、設定風量となるように換気ファン１２を作動させて、浴室Ａ内から吸引した空気の一部を、排気用接続口２を通して換気ファン用ケーシング１１内に吸引して、排気ダクト１９を通して屋外に排出させながら、熱交換器８により加熱された循環空気を吹出し部４から浴室Ａ内に吹出すようにしている。
【００３９】
涼風運転は、循環ファン７を作動させるとともに、開閉体２０を開作動させた状態で、設定風量となるように換気ファン１２を作動させて、浴室Ａ内から吸引した空気の一部を、排気用接続口２を通して換気ファン用ケーシング１１内に吸引して、排気ダクト１９を通して屋外に排出させながら、吸込み部３から吸引された循環空気を吹出し部４から浴室Ａ内に吹出すようにしている。
【００４０】
暖房運転は、循環ファン７を作動させ、かつ、浴室Ａ内の温度が暖房用の設定温度範囲に維持されるように、熱動弁１０の開閉を制御して熱交換器８に温水を循環供給させるとともに、開閉体２０を閉作動させて、浴室Ａ内から吸引した空気の全量を熱交換器８により加熱し、その加熱された循環空気を吹出し部４から浴室Ａ内に吹出すようにしている。
【００４１】
通常換気運転は、開閉体２０を開作動させた状態で、通常設定換気量となるように換気ファン１２を作動させて、浴室Ａ内から吸引した空気および吸気ダクト１７を通してトイレＣおよび脱衣室Ｄ内から吸引した空気を換気ファン用ケーシング１１内に吸引して、排気ダクト１９を通して換気するようにして、浴室Ａ、トイレＣ、および、脱衣室Ｄを同時に換気するようにしている。
【００４２】
ちなみに、上述の暖房運転中など、浴室Ａの換気を行いたくないときには、リモコンＲにて指令して、開閉体２０を閉作動させた状態で、換気ファン１２を作動させて、トイレＣおよび脱衣室Ｄのみ換気するようにしている。
【００４３】
２４時間換気運転は、２４時間設定換気量となるように換気ファン１２を作動させて、浴室Ａ内から吸引した空気および吸気ダクト１７を通してトイレＣおよび脱衣室Ｄ内から吸引した空気を換気ファン用ケーシング１１内に吸引して、排気ダクト１９を通して換気するようにして、２４時間継続して、浴室Ａ、トイレＣ、および、脱衣室Ｄを同時に換気するようにしている。
【００４４】
ちなみに、上述の暖房運転中など、浴室Ａの換気を行いたくないときには、リモコンＲにて指令して、開閉体２０を閉作動させた状態で、換気ファン１２を作動させて、トイレＣおよび脱衣室Ｄのみ換気するようにしている。
【００４５】
この実施形態の浴室暖房換気装置は、上記のように、浴室Ａ、トイレＣ、および、脱衣室Ｄの３室の換気を行うことが可能であり、換気対象である各室の配置や屋外排出口の配置などに応じて、換気ユニットＥの換気ファン用ケーシング１１の接続口である、吸気口１３及び排気口１４に対する吸気ダクト１７及び排気ダクト１９の配置形態を、複数の異なる配置形態から選択して接続することが可能である。
【００４６】
図４は、この複数の配置形態を例示するものであって、上記浴室ユニットＢ及び換気ユニットＥのダクト接続部１６，１８を示す図である。
【００４７】
上記図１に対応する配置形態が、図４(ｄ)であり、換気ユニットＥの換気ファン用ケーシング１１の一側面(右側面)の２個の吸気口に、吸気継ぎ手１６がそれぞれ接続され、他側面(左側面)の排気口に排気継ぎ手１８が接続されている。図４(ｃ)の配置形態は、図４（ｄ）の配置形態の左右を反転させたもの、すなわち、浴室ユニットＢに対して換気ユニットＥを左右反転させて装着したものである。
【００４８】
図４(ｂ)の配置形態は、図４(ｃ)の配置形態において、前記他側面(左側面)に接続されている一方の吸気継ぎ手１６を、排気継ぎ手１８が接続されている前記一側面(右側面)に接続して排気継ぎ手１８に隣接させたものである。図示していないが、この図４(ｂ)の配置形態の左右を反転させた配置形態もある。
【００４９】
図４(ａ)の配置形態は、図４(ｃ)の配置形態において、前記他側面(左側面)に接続されている他方の吸気継ぎ手１６を、排気継ぎ手１８が接続されている前記一側面(右側面)に接続して排気継ぎ手１８に隣接させたものである。図示していないが、この図４(ａ)の配置形態の左右を反転させた配置形態もある。
【００５０】
つまり、この実施形態では、６通りの配置形態が可能であって、浴室暖房換気装置が設置される換気対象室や屋外排出口の配置などに応じて、何れかの配置形態が選択される。
【００５１】
なお、換気ユニットＥの換気ファン用ケーシング１１の使用されない吸気口は、上記ように閉塞板等によって閉塞される。
【００５２】
次に、この浴室暖房換気装置における、制御部Ｈによる換気ファン１２の制御について説明する。
【００５３】
換気ファン１２に装着されるファンモータ１２ａと制御部Ｈとは、コネクタ（不図示）および電線（不図示）を介して接続され、制御部Ｈは、電線を通して、ファンモータ１２ａの回転速度の情報を得るとともに、ファンモータ１２ａに電圧を与えるように構成されている。
【００５４】
そして、制御部Ｈは、該制御部Ｈの記憶部に予め記憶されている、ファンモータ１２ａの目標回転速度とファンモータ１２ａへの印加電圧（電気的入力値）との関係を示す設定情報に基づいて、通常設定換気量、および、２４時間設定換気量などの設定風量に対応するファンモータ１２ａの目標回転速度になるように、ファンモータ１２ａへの印加電圧を制御するように構成されている。
【００５５】
ここで、制御部Ｈがファンモータ１２ａへの印加電圧を制御するための、ファンモータ１２ａの目標回転速度とファンモータ１２ａへの印加電圧との設定関係について説明する。
【００５６】
例えば、設定風量がＱ１（例えば１００ｍ3 ／ｈ）であるとする。
【００５７】
図５は、換気ファン１２に装着されるファンモータ１２ａに印加する電圧がＶ１、Ｖ２、Ｖ３、Ｖ４、Ｖ５（Ｖ１＜Ｖ２＜Ｖ３＜Ｖ４＜Ｖ５）であるときの浴室暖房換気装置の、換気ファン１２によって通風する通風量Ｑに対する、排気部における静圧と吸気部における静圧との差圧Ｐの特性を示すＰＱ特性（Ｖ１〜Ｖ５で指示される曲線）、および、換気ファン１２によって通風する通風路の通風抵抗がＬ１、Ｌ２、Ｌ３、Ｌ４、Ｌ５（通風抵抗Ｌ１＜Ｌ２＜Ｌ３＜Ｌ４＜Ｌ５）であるときの通風路における圧力損失Ｐと通風量Ｑとの関係を示すＰＱ特性（Ｌ１〜Ｌ５で示される右上がりの曲線）を示している。
【００５８】
図５において、破線は風量がＱ１（例えば１００ｍ3 ／ｈ）で一定である線を表しており、通風路の通風抵抗が種々異なる場合であっても、通風路の通風抵抗に応じてファンモータ１２ａへの印加電圧を調節することで下記に示すように、換気ファン１２によって通風する通風量をＱ１に合致させることができる。
【００５９】
（１）通風路の通風抵抗がＬ１のときには、通風路の通風抵抗がＬ１のときの通風路のＰＱ特性の曲線と破線との交点、つまり、数字１の丸で囲んだ点において、通風路の通風抵抗がＬ１のときの通風路のＰＱ特性の曲線と、換気ファン１２のＰＱ特性の曲線とが交差すれば、通風抵抗がＬ１の通風路にＱ１の通風量で通風されることになるから、ファンモータ１２ａへの印加電圧をＶ１に調節することで通風量はＱ１となる。
【００６０】
（２）同様に、風路の通風抵抗がＬ２のときにはファンモータ１２ａへの印加電圧をＶ２に調節することで、また、風路の通風抵抗がＬ３のときにはファンモータ１２ａへの印加電圧をＶ３に調節することで、また、風路の通風抵抗がＬ４のときにはファンモータ１２ａへの印加電圧をＶ４に調節することで、また、風路の通風抵抗がＬ５のときにはファンモータ１２ａへの印加電圧をＶ５に調節することで、通風量はＱ１となる。
【００６１】
一方、ファンモータ１２ａに印加する電圧がＶ１のときにＱ１の通風量で通風されている場合のファンモータ１２ａの回転速度Ｎ１は、換気ファン１２固有の値であり、同様に、ファンモータ１２ａに印加する電圧がＶ２のときにＱ１の通風量で通風されている場合のファンモータ１２ａの回転速度Ｎ２、および、ファンモータ１２ａに印加する電圧がＶ３のときにＱ１の通風量で通風されている場合のファンモータ１２ａの回転速度Ｎ３、および、ファンモータ１２ａに印加する電圧がＶ４のときにＱ１の通風量で通風されている場合のファンモータ１２ａの回転速度Ｎ４、および、ファンモータ１２ａに印加する電圧がＶ５のときにＱ１の通風量で通風されている場合のファンモータ１２ａの回転速度Ｎ５も、夫々換気ファン１２固有の値である。
【００６２】
したがって、Ｑ１の通風量で通風されている場合には、ファンモータ１２ａの回転速度Ｎとファンモータ１２ａに印加する電圧Ｖとの関係は、Ｎ＝Ｎ１のときにはＶ＝Ｖ１、Ｎ＝Ｎ２のときにはＶ＝Ｖ２、Ｎ＝Ｎ３のときにはＶ＝Ｖ３、Ｎ＝Ｎ４のときにはＶ＝Ｖ４、Ｎ＝Ｎ５のときにはＶ＝Ｖ５となる関係が成立する。
【００６３】
換言すれば、Ｎ＝Ｎ１のときにはＶ＝Ｖ１、Ｎ＝Ｎ２のときにはＶ＝Ｖ２、Ｎ＝Ｎ３のときにはＶ＝Ｖ３、Ｎ＝Ｎ４のときにはＶ＝Ｖ４、Ｎ＝Ｎ５のときにはＶ＝Ｖ５となる関係を満たすように、ファンモータ１２ａに印加する電圧Ｖを調節することで、通風路の通風抵抗が未知であってもＱ１の通風量で通風できることになる。
【００６４】
ここで、一般に、浴室暖房換気装置などの換気装置によって通風換気される通風路の通風抵抗は、上記Ｌ１〜Ｌ５のように離散的な値をとるのではなく、種々の値をとり得るものであるが、通常設定換気量、および、２４時間設定換気量などの設定風量毎に、ファンモータ１２ａの回転速度Ｎとファンモータ１２ａに印加する電圧Ｖとの関係を予め求めておき、ファンモータ１２ａの回転速度Ｎとファンモータ１２ａへの印加電圧Ｖとの関係が、この関係を満足するように、ファンモータ１２ａへの印加電圧Ｖを制御すれば、浴室暖房換気装置によって通風換気される通風量が通常設定換気量、および、２４時間設定換気量などの設定風量に調節されることになる。
【００６５】
これを換言すると、前述の、制御部Ｈは、ファンモータ１２ａの目標回転速度とファンモータ１２ａへの印加電圧との関係に基づいて、通常設定換気量、および、２４時間設定換気量などの設定風量に対応するファンモータ１２ａの目標回転速度になるように、ファンモータ１２ａへの印加電圧を制御するように構成すればよい、ということになる。
【００６６】
本実施形態における浴室暖房換気装置においては、図６に示すように、制御部Ｈの記憶部には、通風量に応じて、ファンモータ１２ａの目標回転速度Ｎとファンモータ１２ａへの印加電圧Ｖとの関係Ｓ１を示す設定情報が、予め求められて記憶されている。なお、この図６の関係Ｓ１は、図４（ｄ）に示す吸気継ぎ手１６及び排気継ぎ手１８の配置形態に対応するファンモータ１２ａの目標回転速度Ｎとファンモータ１２ａへの印加電圧Ｖとの関係を示すものであって、通風量Ｑ１に対応するものである。
【００６７】
そして、上記図４の吸気継ぎ手１６及び排気継ぎ手１８の複数の配置形態にそれぞれ対応して、ファンモータ１２ａの目標回転速度Ｎとファンモータ１２ａへの印加電圧Ｖとの関係を示す設定情報が、通風量に応じて、予め複数求められて、制御部Ｈの記憶部に記憶されている。
【００６８】
例えば、図４（ａ）、図４（ｂ）、図４（ｃ）の各配置形態にそれぞれ対応して、図７に示すように、通風量Ｑ１に応じたファンモータ１２ａの目標回転速度Ｎとファンモータ１２ａへの印加電圧Ｖとの関係Ｓ２、Ｓ３、Ｓ４を示す設定情報が、予め記憶されている。
【００６９】
この実施形態では、制御部Ｈは、複数の配置形態のうちの何れの配置形態で接続されているかを判定する配置形態判定モードを実行する。
【００７０】
すなわち、制御部Ｈに設けられた試運転開始指令スイッチ（不図示）の操作によって試運転モードを実行し、試運転モードでは、配置形態判定モードを実行して判定結果を記憶する。
【００７１】
本実施形態の浴室暖房換気装置の設置工事説明書には、換気ユニットＥの換気ファン用ケーシング１１に、吸気継ぎ手１６及び排気継ぎ手１８を接続した後、吸気ダクト及び排気ダクトを接続しない状態、すなわち、吸気用及び排気用の通風路の接続が完了していない状態で、試運転開始指令スイッチ（不図示）の操作を行うように記載してあり、吸気ダクト及び排気ダクトを接続しない状態で試運転モードが実行され、配置形態判定モードが実行されて、その判定結果が記憶されることになる。
【００７２】
吸気ダクト及び排気ダクトを接続しない状態で、例えば、ファンモータ１２ａに所定電圧を印加したときのファンモータ１２ａの回転数によって、吸気継ぎ手１６及び排気継ぎ手１８の配置形態が、例えば、図４（ａ）〜（ｄ）の何れの配置形態であるかを次のように判定する。
【００７３】
すなわち、例えば、上記図６及び図７に示す複数の配置形態にそれぞれ対応するファンモータ１２ａの目標回転速度Ｎとファンモータ１２ａへの印加電圧Ｖとの関係Ｓ１、Ｓ２、Ｓ３、Ｓ４を示す設定情報に基づいて、吸気ダクト及び排気ダクトを接続しない状態に対応するように、印加電圧が最も低い電圧近傍、例えば、電圧１０Ｖを印加したときの回転速度を検出し、その回転速度が、何れの関係Ｓ１、Ｓ２、Ｓ３、Ｓ４に最も近い値であるかによって配置形態を判定するものである。
【００７４】
このようにして配置形態が判定され、その判定結果が制御部Ｈに記憶されて、試運転モードが自動的に終了する。
【００７５】
このように、試運転モードにおいては、吸気部および排気部に接続されるダクト等の状態を、配置形態判定モードに好都合な、吸気ダクト及び排気ダクトを接続しない状態、すなわち、配置形態毎の通風抵抗が略一定の状態で判定可能であるから、配置形態判定モードにおける誤判定が抑制される。
【００７６】
試運転モードが終了した後は、換気ユニットＥの換気ファン用ケーシング１１の吸気継ぎ手１６及び排気継ぎ手１８に、吸気ダクト及び排気ダクトを接続して吸気用及び排気用の通風路の接続を完了させた後、リモコンＲの操作によって浴室暖房換気装置の運転を行う通常運転モードを実行することになる。
【００７７】
通常運転モードでは、配置形態判定モードの判定結果に応じて、予め複数設定された関係Ｓ１〜Ｓ４を示す設定情報のうちから、吸気継ぎ手１６及び排気継ぎ手１８の配置形態に対応する関係を示す設定情報の一つ選択して、ファンモータ１２ａの回転速度Ｎとファンモータ１２ａへの印加電圧Ｖとの関係が選択された関係を満足するように、ファンモータ１２ａへの印加電圧Ｖが制御されて、浴室暖房換気装置によって通風換気される通風量が通常設定換気量、および、２４時間設定換気量などの設定風量に調節される。
【００７８】
〔別実施形態〕
上記実施形態では、試運転モードを実行して配置形態を判定したけれども、本発明の他の実施形態として、換気ユニットＥの換気ファン用ケーシング１１の吸気口等の複数の接続口の何れの接続口に、吸気継ぎ手１６や排気継ぎ手１８が接続されているか否か、及び、浴室ユニットＢに対する換気ユニットＥの左右の装着方向を検出する検出手段を設け、この検出手段の検出出力に基づいて、制御部Ｈで配置形態を判定するようにしてもよい。
【００７９】
具体的には、換気ファン用ケーシング１１の接続口の近傍には、例えば、マイクロスイッチやフォトインタラプタ等の機械接触式や光学式のセンサを配設し、吸気継ぎ手１６や排気継ぎ手１８には、前記接続口への着脱に応じて、前記センサを作動させる作動片、突起、あるいは、切欠き等を設ければよい。また、浴室ユニットＢの換気ユニットＥが装着される部分には、前記センサを配設し、換気ユニットの装着方向に応じて前記センサを作動させる前記作動片等を設ければよい。
【００８０】
前記センサの検出出力を、制御部Ｈに与えるように構成することによって、制御部Ｈでは、何れの配置形態が選択されているかを正確に判定することができる。また、配置形態を判定するための試運転モードの実行が不要となる。
【００８１】
本発明の更に他の実施形態として、浴室暖房換気装置の設置工事を行う作業者が、制御部Ｈに対して、選択した配置形態を設定入力できるように構成し、制御部Ｈは、その設定入力に基づいて、配置形態を判定するようにしてもよい。
【００８２】
上記実施形態では、ファンモータ１２ａへの電気的入力値を印加電圧として構成してあるが、ファンモータ１２ａへの電気的入力値を印加電力として構成し、制御部Ｈが、ファンモータ１２ａの目標回転速度とファンモータ１２ａへの印加電力（電気的入力値）との関係に基づいて、通常設定換気量、および、２４時間設定換気量などの設定風量に対応するファンモータ１２ａの目標回転速度になるように、ファンモータ１２ａへの印加電力を制御するように構成してもよい。
【００８３】
このように構成した場合、制御部Ｈは、ファンモータ１２ａの目標回転速度とファンモータ１２ａへの印加電力との関係に基づいて、通常設定換気量、および、２４時間設定換気量などの設定風量に対応するファンモータ１２ａの目標回転速度になるように、ファンモータ１２ａへの印加電力を制御することになる。
【００８４】
また、このように構成した場合、ファンモータ１２ａへの印加電力を知るためには、ファンモータ１２ａへの印加電圧に加えて、ファンモータ１２ａへの通電電流を知る必要があるあるので、ファンモータ１２ａへの印加電圧をファンモータ１２ａへの電気的入力値とする場合に較べて、制御部の構成が複雑になるが、浴室暖房換気装置（風量制御装置）の風量と密接な相関性を有するファンモータ１２ａへの印加電力をファンモータ１２ａへの電気的入力値とすることで、ファンモータ１２ａへの印加電圧をファンモータ１２ａへの電気的入力値とする場合に較べて、ファンモータ１２ａのバラツキに起因して風量制御装置の風量が所望の風量からずれてしまうことが抑制される。
【符号の説明】
【００８５】
１１    換気ファン用ケーシング
１２    換気ファン
１２ａ  ファンモータ
１３    吸気口
１４    排気口
１６    吸気継ぎ手
１７    吸気ダクト
１８    排気継ぎ手
１９    排気ダクト
Ａ      浴室
Ｂ      浴室ユニット
Ｃ      トイレ
Ｄ      脱衣室
Ｅ      換気ユニット
【図１】
2015117879.tif 000003
【図２】
2015117879.tif 000004
【図３】
2015117879.tif 000005
【図４】
2015117879.tif 000006
【図５】
2015117879.tif 000007
【図６】
2015117879.tif 000008
【図７】
2015117879.tif 000009